(57)【要約】  薬剤パッケージングは、薬剤の配設のためのキャビティを画定するボディを含む。クロージャ部材は、ボディに配設される。クロージャ部材は、前進機構と、薬剤投薬レジメンのしるしを表示する窓と、を含む。クロージャ部材は、薬剤のアクセス可能な構成と、シール位置としるしを増分式に前進させるための前進位置とを含む閉じた構成と、の間で回転可能である。使用するシステムおよび方法は、開示される。
2018528828.tif 000002
【特許請求の範囲】
【請求項１】
薬剤の配設のためのキャビティを画定するボディと、
前記ボディに配設されるクロージャ部材であって、前進機構と薬剤投薬レジメンのしるしを表示する窓とを含むクロージャ部材と、
を含む薬剤パッケージングであって、
前記クロージャ部材は、薬剤のアクセス可能な構成と、シール位置と前記しるしを増分式に前進させるための前進位置とを含む閉じた構成と、の間で回転可能である、薬剤パッケージング。
【請求項２】
前記ボディは、首部分を含む、請求項１に記載の薬剤パッケージング。
【請求項３】
前記クロージャ部材は、蓋を含む、請求項１に記載の薬剤パッケージング。
【請求項４】
前記蓋は、インジケータキャップを含む、請求項１に記載の薬剤パッケージング。
【請求項５】
前記インジケータキャップは、しるしを含む、請求項４に記載の薬剤パッケージング。
【請求項６】
前記クロージャ部材は、周方向側壁を含む、請求項１に記載の薬剤パッケージング。
【請求項７】
前記クロージャ部材は、ねじ付きインサートの配設のために構成されたキャビティを含む、請求項１に記載の薬剤パッケージング。
【請求項８】
前記クロージャ部材は、シールガスケットの配設のために構成されたキャビティを含む、請求項１に記載の薬剤パッケージング。
【請求項９】
前記クロージャ部材は、インジケータキャップに配設されるクリアな外側キャップを含み、前記クリアな外側キャップは、前記インジケータキャップの前記しるしを視認するための窓を含む、請求項１に記載の薬剤パッケージング。
【請求項１０】
前記窓は、前記しるしと整列するように寸法決めされる、請求項９に記載の薬剤パッケージング。
【請求項１１】
前記クロージャ部材は、ユーザを前記しるしの方に方向付けるように構成されたインジケータを含む、請求項１に記載の薬剤パッケージング。
【請求項１２】
前記クロージャ部材は、把持することおよび開くことを容易にするように構成されたリッジを含む、請求項１に記載の薬剤パッケージング。
【請求項１３】
前記前進機構は、選択的な回転のためのラチェットホイールおよびつめを含む、請求項１に記載の薬剤パッケージング。
【請求項１４】
前記前進機構は、前記しるしの増分の前進を容易にするように構成された停止機構を含む、請求項１に記載の薬剤パッケージング。
【請求項１５】
前記前進機構は、前記クロージャ部材の構成要素の回転を促すように構成されたばねを含む、請求項１に記載の薬剤パッケージング。
【請求項１６】
前記ボディは、縦長の構成を含む、請求項１に記載の薬剤パッケージング。
【請求項１７】
前記クロージャ部材は、第１の把持部分および第２の把持部分を含む、請求項１に記載の薬剤パッケージング。
【請求項１８】
前記前進機構は、ボタンを含む、請求項１に記載の薬剤パッケージング。
【請求項１９】
薬剤の配設のためのキャビティを画定するボトルと、
前記ボトルに配設される蓋であって、付勢部材を有する前進機構と薬剤投薬レジメンのしるしを表示する窓とを含む蓋と、
を含む薬剤パッケージングであって、
前記蓋は、薬剤のアクセス可能な構成と、シール位置および前進位置を含む閉じた構成と、の間で回転可能であり、したがって、前記付勢部材は、前記しるしを増分式に前進させるために係合可能である、薬剤パッケージング。
【請求項２０】
退院患者用の医療コンプライアンス方法であって、前記方法が、
患者の病気を処置するステップと、
前記病気を処置するための医学的治療を精査するステップであって、前記医学的治療が、少なくとも１つの薬剤の投与量を少なくとも１つ含む医療レジメンを含む、精査するステップと、
薬剤パッケージングを提供するステップであって、
薬剤の配設のためのキャビティを画定するボディと、
前記ボディに配設されるクロージャ部材であって、前進機構と医療レジメンのしるしを表示する窓とを含むクロージャ部材と、を含む、提供するステップと、
を含み、
前記クロージャ部材は、薬剤のアクセス可能な構成と、シール位置と前記しるしを増分式に前進させるための前進位置とを含む閉じた構成と、の間で回転可能である、医療コンプライアンス方法。
【発明の詳細な説明】
【技術分野】
【０００１】
本出願は、２０１５年９月２日に出願された米国仮特許出願第６２／２１３，２２６号の利益を主張し、その内容については、ここに参照によりその全体を本明細書に組み込む。
【０００２】
本開示は、一般に薬剤パッケージングに関し、より詳細には、薬剤レジメンおよび／または耐タンパー性を提供する分注デバイスおよびシステムならびに医学的状態の処置のための方法に関する。
【背景技術】
【０００３】
小売の顧客および／または患者は、医学的治療に関与する場合があり、医学的治療には、病気を処置するために採用されることのあるダイエット、運動、ならびに／あるいは、処方および／または非処方の薬剤投与レジメンが含まれることがある。幾つかのケースでは、入院患者は、多くの場合に退院して一人または複数人の医療従事者に指示されて医学的治療に従う。
【０００４】
そういった薬剤投与レジメンは、１つまたは複数の薬剤を含むことのあるレジメン全体にわたって与薬される１つまたは複数の薬剤を含む場合がある。薬剤投与レジメンは、同時に、異なった時間に、ならびに／あるいは、１週間のうちの曜日にまたは１日のうちの時刻に応じて、薬剤の与薬を必要とする場合がある。そういった薬剤レジメンは、栄養、治療、および／または、病気の処置のためにユーザが採用することのある既存の薬剤レジメンに加えて投与されることがある。
【０００５】
しかしながら、そういった薬剤レジメンは、多くの場合、患者のコンプライアンスの乏しさに悩まされる。実際、多くの患者は、彼らの薬剤レジメンに従うことに失敗する。幾つかのケースでは、生活様式に関係する薬剤も、ユーザコンプライアンスの乏しさに悩まされることがある。ノンコンプライアンスの原因となる要因は、薬剤レジメンの複雑さ、患者の処方履行の失敗、誤った指示および／または処方、費用、有害な副作用、患者の嫌気、意欲の欠如、既存の薬剤との不調和および／または患者の生理的問題、を含むことがある。
【０００６】
薬剤レジメンの様々な薬剤は、単回投与および／または多回投与ブリスタパッケージングなどの薬剤容器からユーザに耐タンパー性の具備または不具備で分注される場合がある。多回投与ブリスタパッケージングは、曜日、例えば、月曜日、火曜日等々および／または１日の時刻を含むレジメンに応じて単一薬剤を分注する場合がある。本開示は、これらの従来技術に対する改善を説明している。
【発明の概要】
【０００７】
１つの実施形態では、薬剤パッケージングが提供される。薬剤パッケージングは、薬剤の配設のためのキャビティを画定するボディを含む。クロージャ部材は、ボディに配設される。クロージャ部材は、前進機構と、薬剤投薬レジメンのしるしを表示する窓と、を含む。クロージャ部材は、薬剤のアクセス可能な構成と、シール位置としるしを増分式に前進させるための前進位置とを含む閉じた構成と、の間で回転可能である。使用するシステムおよび方法は、開示される。
【０００８】
本開示は、以下の図面を伴った特定の説明からより容易に明らかになるであろう。
【図面の簡単な説明】
【０００９】
【図１】本開示の原理に従ったシステムの１つの実施形態の構成要素の斜視図である。
【図２】図１に示す構成要素の斜視図である。
【図３】図１に示す構成要素の斜視図である。
【図４】図１に示す構成要素の斜視図である。
【図５】図１に示す構成要素の分解図である。
【図６】図１に示す構成要素の平面図である。
【図７】本開示の原理に従ったシステムの１つの実施形態の構成要素の斜視図である。
【図８】図７に示す構成要素の斜視図である。
【図９】本開示の原理に従ったシステムの１つの実施形態の構成要素の斜視図である。
【図１０】本開示の原理に従ったシステムの１つの実施形態の構成要素の斜視図である。
【図１１】図１０に示す構成要素の斜視図である。
【図１２】本開示の原理に従ったシステムの１つの実施形態の構成要素の斜視図である。
【図１３】本開示の原理に従ったシステムの１つの実施形態の構成要素の斜視図である。
【図１４】本開示の原理に従ったシステムの１つの実施形態の構成要素の斜視図である。
【図１５】図１２に示す構成要素の断面図である。
【図１６】本開示の原理に従ったシステムの構成要素の分解図である。
【図１７】図１６に示すシステムの構成要素の斜視図である。
【図１８】図１６に示すシステムの構成要素の斜視図である。
【図１９】図１６に示すシステムの構成要素の断面図である。
【図２０】本開示の原理に従ったシステムの１つの実施形態の構成要素の分解図である。
【図２１】図２０に示すシステムの構成要素の斜視図である。
【図２２】図２０に示すシステムの構成要素の斜視図である。
【図２３】図２０に示すシステムの構成要素の断面図である。
【図２４】本開示の原理に従ったシステムの１つの実施形態の構成要素の斜視図である。
【図２５】本開示の原理に従ったシステムの１つの実施形態の構成要素の斜視図である。
【図２６】本開示の原理に従ったシステムの１つの実施形態の構成要素の斜視図である。
【図２７】本開示の原理に従ったシステムの１つの実施形態の構成要素の上面図である。
【図２８】本開示の原理に従ったシステムの１つの実施形態の構成要素の側面図である。
【図２９】本開示の原理に従ったシステムの１つの実施形態の構成要素の分解図である。
【図３０】本開示の原理に従ったシステムの１つの実施形態の構成要素の分解図である。
【図３１】本開示の原理に従ったシステムの１つの実施形態の構成要素の切り取り図である。
【図３２】本開示の原理に従ったシステムの１つの実施形態の構成要素の部分的に想像線で示した上面図である。
【図３３】本開示の原理に従ったシステムの１つの実施形態の構成要素の斜視図である。
【図３４】本開示の原理に従ったシステムの１つの実施形態の構成要素の部分分解斜視図である。
【図３５】本開示の原理に従ったシステムの１つの実施形態の構成要素の斜視図である。
【図３６】本開示の原理に従ったシステムの１つの実施形態の構成要素の斜視図である。
【図３７】本開示の原理に従ったシステムの１つの実施形態の構成要素の分解図である。
【図３８】図３６に示すシステムの構成要素の拡大斜視図である。
【図３９】図３６に示すシステムの構成要素の拡大斜視図である。
【図４０】図３６に示すシステムの構成要素の拡大斜視図である。
【図４１】図４０に示す構成要素の断面図である。
【図４２】図４０に示す構成要素の上面図である。
【図４３】本開示の原理に従ったシステムの１つの実施形態の構成要素の斜視図である。
【図４４】図４３に示す構成要素の切り取り図である。
【図４５】本開示の原理に従ったシステムの１つの実施形態の構成要素の斜視図である。
【図４６】図４５に示す構成要素の切り取り図である。
【図４７】本開示の原理に従ったシステムの１つの実施形態の構成要素の斜視図である。
【図４８】図４７に示す構成要素の切り取り図である。
【図４９】本開示の原理に従ったシステムの１つの実施形態の構成要素の斜視図である。
【図５０】図４９に示す構成要素の切り取り図である。
【発明を実施するための形態】
【００１０】
開示した薬剤パッケージングシステムおよび関連する使用方法の例示的な実施形態については、様々な疾患、病気および／または慢性病の処置のための分注デバイスの観点から、より具体的には、薬剤レジメンおよび／または耐タンパー性ならびに医学的状態の処置のための方法を提供する薬剤分注デバイスおよびシステムの観点から、検討する。幾つかの実施形態では、本システムは、１つまたは複数の疾患、病気および／または慢性病の処置のために患者に薬剤パッケージングを分配するための方法と共に採用される。幾つかの実施形態では、本システムは、患者が、例えば、短期退院および／または長期退院で健康管理施設から退院するような方法と共に採用される。
【００１１】
幾つかの実施形態では、本システムは、医学的状態の処置のための薬剤の貯蔵、輸送および退院のための薬剤分注システムおよび使用方法を含む。１つの実施形態では、本開示のシステムおよび方法は、多数のピル、投与量、またはスケジュールの施与を必要としている医学的状態を有する人間を助けるために採用される。１つの実施形態では、本開示のシステムおよび方法は、大人による容易なアクセスを可能にするがチャイルドレジスタンス機能を提供する薬剤分注デバイスを含む。幾つかの実施形態では、本システムは、例えば、甲状腺機能低下症、心筋梗塞、血圧上昇、脂質異常症（高コレステロール）、糖尿病、メタボリックシンドローム、心不全、肺炎、心臓欠陥、関節炎、痛みが進行中の処置プランの一部である病気を処置するための薬剤、および／または、例えば、避妊ピル、ホルモン補充ピル、および、例えば、カルシウムサプリメント付きのビタミンＡ、Ｄ、Ｅを有する、例えば、栄養補給食品などの栄養サプリメント、などの生活様式に関係する薬剤、を含む薬剤の貯蔵、輸送および退院のための薬剤分注システムおよび使用方法を含む。
【００１２】
幾つかの実施形態では、本システムは、チャイルドレジスタント蓋と係合するためのねじ付きスクリュ上部を有する容器ボディを含む薬剤分注システムを含む。１つの実施形態では、容器ボディは、蓋と係合するためにねじを有する首部分を有する。幾つかの実施形態では、薬剤分注システムは、薬剤師によって部分的または全体的に満たされて作り出される。幾つかの実施形態では、薬剤分注システムは、弾性材料を含む。幾つかの実施形態では、薬剤分注システムは、チャイルドレジスタンスを提供し、大人が容易にアクセス可能である。様々な実施形態では、薬剤分注システムの内部に保持される薬剤にアクセスするための方法が提供される。方法は、子供には実行が難しく大人には実行が容易な連続的および／または同時の運動を要求する。
【００１３】
幾つかの実施形態では、本システムは、半自動しるし変更システムを含む薬剤分注システムを含む。幾つかの実施形態では、薬剤分注システムは、側壁上のしるしの形式のリマインダを有するキャップを含む。幾つかの実施形態では、しるしは、１週間の曜日の形式にされることがある。幾つかの実施形態では、薬剤分注システムは、窓を通してしるしを表示する、例えば、クリア、透明、影付きおよび／または艶消しの窓部材などの窓を含む。幾つかの実施形態では、窓部材は、半透明の青色に色付けされる。幾つかの実施形態では、キャップは、可聴クリックが聞こえるまでボトルに締め付けられ、次いで、キャップの窓部材は、第２のクリックが聞こえるまで更に回される。幾つかの実施形態では、窓部材は、１つの方向にだけ回すことができる。幾つかの実施形態では、キャップは、窓部材をしるしに対して動かすために前進機構を含む。幾つかの実施形態では、キャップは、ねじ付きインサートを含む。幾つかの実施形態では、キャップは、ウエハシールを含む。
【００１４】
幾つかの実施形態では、本システムは、例えば、不透明な内側キャップ上に実装されるクリアキャップなどの窓を含む薬剤分注システムを含む。幾つかの実施形態では、内側キャップは、その周囲のここかしこに１週間の曜日を表示する。幾つかの実施形態では、クリアキャップは、内側キャップに対して所定の位置でスピンまたはロックする。幾つかの実施形態では、１週間の曜日の形式のしるしは、円形リング上に印刷される。幾つかの実施形態では、円形リングのしるしは、キャップの側面から目に見える。幾つかの実施形態では、しるしは、キャップをねじ付きボトルに締め付けながら前進する。幾つかの実施形態では、キャップは、第１のクリックがキャップをボトルにシールし、第２のクリックがクリアキャップを前進させる、という２つのクリック方式を使用する。
【００１５】
幾つかの実施形態では、本システムは、キャップを外す際にユーザを助けるためにキャップから延びる把持部分を含む薬剤分注システムを含む。幾つかの実施形態では、キャップは、窓および上部表面のしるしを含む。幾つかの実施形態では、キャップは、しるしを前進させるために側面のボタンを含む。幾つかの実施形態では、しるしは、圧縮性を有し且つ非圧縮時に静止構成に付勢される軟質の熱可塑性エラストマ材料を含む。幾つかの実施形態では、ボタンの一押しは、しるしを１つの増分だけ動かす。幾つかの実施形態では、しるしは、１つの方向だけ前進することができる。幾つかの実施形態では、把持部分は、ボトルがテーブル面上に互いに隣り合って保管されるときに、ボトル相互間の未使用空間を占有する。幾つかの実施形態では、把持部分は、テーブル面上に互いに隣接して位置決めされるボトル相互間の距離を増やすことなく、できるだけ大きくなるように構成される。幾つかの実施形態では、薬剤分注システムは、ボタンがキャップ上部に位置決めされるキャップを含む。
【００１６】
幾つかの実施形態では、本システムは、しるしのための手動前進機構を含む薬剤分注システムを含む。幾つかの実施形態では、キャップの側面のボタンを押すことにより、しるしは、１つの増分だけ前進する。幾つかの実施形態では、ボタンは、可撓性プラスチックの陰に隠される。幾つかの実施形態では、ボタンは、キャップが薬容器に設置されるかどうかにかかわらず、しるしを前進させるように動作する。幾つかの実施形態では、キャップの形状は、円形キャップよりも大きな表面積および梃子の作用を提供するように設計される。幾つかの実施形態では、キャップは、押し下げて回すことによって、薬容器から外される。幾つかの実施形態では、キャップは、薬容器のねじに沿って時計回りに回すことによって、薬容器に締め付けられる。
【００１７】
幾つかの実施形態では、本システムは、しるしのための手動前進機構を含む薬剤分注システムを含む。幾つかの実施形態では、ボタンは、キャップの上部上にある。幾つかの実施形態では、ボタンは、可撓性プラスチック部材の陰に隠される。幾つかの実施形態では、ボタンは、キャップが薬容器に設置されるかどうかに無関係に、しるしを前進させるように動作する。幾つかの実施形態では、キャップは、キャップを押し下げて回すことによって、薬容器から外される。幾つかの実施形態では、キャップは、薬容器のねじに沿って時計回りに回すことによって、薬容器に締め付けられる。
【００１８】
幾つかの実施形態では、本システムは、外側キャップ、内側キャップおよび回転可能なリングを有する薬剤分注システムを含む。幾つかの実施形態では、外側キャップは、ストッパとして構成された少なくとも１つのリブを含む。幾つかの実施形態では、外側キャップは、回転可能なリングに配設された歯と係合するように構成された歯を含む。幾つかの実施形態では、薬剤分注システムは、軸方向運動を容易にし且つ後退防止機構を提供するように構成される埋め込み成形されたカンチレバばねを含む。幾つかの実施形態では、外側キャップおよびリングは、時計回りの回転中に一斉および／または同時に回転するように構成される。幾つかの実施形態では、リングが回るとき、リングに配設されたカンチレバは、内側キャップに配設された歯を越えて曲がる。
【００１９】
幾つかの実施形態では、本システムは、外側キャップがしるしを前進させるために動くような時計回りの回転のために構成された薬剤分注システムを含む。幾つかの実施形態では、薬剤分注システムは、シールとねじ付きインサートと連結解除特徴部と内部ダイアルスナップとを含み、上および下に並進し得るサブ組立体として外側キャップとインジケータリングと内側キャップとを保持するように構成される。
【００２０】
幾つかの実施形態では、本システムは、曜日の表示用のアパーチャを備えた上部キャップを有する薬剤分注システムを含む。幾つかの実施形態では、本システムは、２ショット成形した可撓性中央ボタン薄膜セクションを含む。幾つかの実施形態では、薬剤分注システムは、剛性ボタンを含む。幾つかの実施形態では、薬剤分注システムは、前進用の内側歯および位置合わせ用の外側歯を有するインジケータリングと、後退防止装置と、を含む。幾つかの実施形態では、薬剤分注システムは、例えば、中心を外した旋回場所を備えたつめなどの前進装置を含む。幾つかの実施形態では、つめは、中央に位置した傾斜部またはカムと、インサート成形したワイヤばねと、を含む。幾つかの実施形態では、薬剤分注システムは、ねじ付きインサートを包むように構成された下部キャップと、前進機構用のプラットフォームを提供する誘導シールと、を含む。
【００２１】
幾つかの実施形態では、本システムは、例えば、アーチ形ポストなどの突起を備えた剛性ボタンを有する薬剤分注システムを含む。幾つかの実施形態では、ポストは、下向きの力をつめに適用するポストの前縁を含む。幾つかの実施形態では、中心を外したつめの旋回は、例えば、つめ先端の０．１６０インチ（４．０６４ｍｍ）の変位を作り出す０．０９０インチ（２．２８６ｍｍ）の下向きの変位などの有利な機械的な関係を作り出す。幾つかの実施形態では、つめの傾斜部上の下向きの力は、構成要素の回転運動を作り出す力の水平成分を提供する。幾つかの実施形態では、つめ先端は、インジケータリングを次の位置まで駆動する。幾つかの実施形態では、ワイヤばねは、前進装置をホーム位置まで復帰させる。
【００２２】
幾つかの実施形態では、本システムは、インジケータリングを見当合わせし且つ後退防止機構を提供するように構成された可撓性ビームを有する薬剤分注システムを含む。幾つかの実施形態では、インジケータリングは、後退防止特徴部を含む。幾つかの実施形態では、本システムは、下部キャップを有する薬剤分注システムを含み、既存のねじ付きインサートは、下部キャップの中にスナップ嵌合する。幾つかの実施形態では、下部キャップは、ボトルへの取り付け用の内ねじを含む。幾つかの実施形態では、誘導シールは、ねじ付きインサートの中に挿入される。幾つかの実施形態では、誘導シールは、ボトルの上部リムにシールされる。
【００２３】
幾つかの実施形態では、本システムは、チャイルドレジスタント特徴部を有する薬剤分注システムを含む。幾つかの実施形態では、下向きの力は、それらの特徴部に係合してキャップを外すために必要とされる。幾つかの実施形態では、チャイルドレジスタント特徴部は、キャップ外し用の傾斜部と、締め付け用の鉛直壁と、を含む。幾つかの実施形態では、チャイルドレジスタント特徴部は、係合して、ギャップは、例えば、下向きの力が適用されない場合に滑りの発生を可能にするなど、ねじ付きインサートに対する下部キャップの鉛直運動を可能にする。
【００２４】
幾つかの実施形態では、本システムは、後退防止特徴部を有する薬剤分注システムを含む。幾つかの実施形態では、つめは、旋回点を含む。幾つかの実施形態では、ボタン上のポストは、回転運動を達成するためにつめの傾斜部を押す。幾つかの実施形態では、つめは、復帰ばねを含む。幾つかの実施形態では、インジケータリングは、後退防止歯および前進歯を含む。
【００２５】
幾つかの実施形態では、本システムは、可動ストッパを有する薬剤分注システムを含む。幾つかの実施形態では、薬剤分注システムは、２つの固定ストッパを含む。幾つかの実施形態では、薬剤分注システムは、第１の傾斜部および第２の傾斜部を含む。幾つかの実施形態では、薬剤分注システムは、可聴クリック特徴部および／または触覚クリック特徴部を含む。幾つかの実施形態では、キャップは、反時計回りに回転し、クリック特徴部は、内向きに曲がる。幾つかの実施形態では、クリック特徴部は、外向きに曲げ戻ってホーム位置に入り込む。幾つかの実施形態では、キャップは、ボトル上に配置されて、時計回りに回され、クリック特徴部が、並進させられて第１の傾斜部を越えて窪み領域の中に入る。幾つかの実施形態では、キャップは、曜日を前進させるために時計回りに更に回される。
【００２６】
本開示は、本開示の一部を形成する添付の図面に関連して解釈される実施形態の以下の詳細な説明を参照することによって、より容易に理解されることがある。理解すべきことは、本出願が本明細書で説明および／または表示する特定のデバイス、方法、条件またはパラメータに限定されないこと、しかも、本明細書で使用する用語が特定の実施形態を一例として説明する目的のためだけであり限定を意図していないことである。幾つかの実施形態では、添付の特許請求の範囲を含めて本明細書で使用するように、単数形「１つ（ａ）」、「１つ（ａｎ）」および「その（ｔｈｅ）」は、複数形を含み、特定の数値を参照することは、文脈上別に規定することが明らかな場合を除き、少なくともその特定の値を含む。範囲は、「約（ａｂｏｕｔ）」または「略（ａｐｐｒｏｘｉｍａｔｅｌｙ）」１つの特定値から、および／または、「約」または「略」別の特定値まで、のように本明細書で表現されることがある。そういった範囲が表現されるとき、他の実施形態は、その１つの特定値から、および／または、その別の特定値まで、を含む。同様に、値が先行詞「約」を用いて近似値として表現されるとき、特定値が別の実施形態を形成するということが理解されるであろう。同じく理解されることは、例えば、水平、鉛直、上部、上側、下側、底部、左および右などの空間的な参照の全てが、図示の目的のためだけであり、本開示の範囲内で変更できる、ということである。例えば、「上側（ｕｐｐｅｒ）」および「下側（ｌｏｗｅｒ）」という参照は、相対的であり、他方との関連のみで使用され、必ずしも「優位」および「劣位」ではない。
【００２７】
添付の特許請求の範囲を含めて本明細書で使用するように、疾患またはコンディションの「処置すること（ｔｒｅａｔｉｎｇ）」または「処置（ｔｒｅａｔｍｅｎｔ）」は、１つまたは複数の薬剤を患者（人または哺乳類）に投与することを含むことがある。軽減は、疾患またはコンディションの徴候または症状の現出する前に、ならびに、それらの現出後に、起こる場合がある。このように、処置することまたは処置は、疾患または不快なコンディションを防止することまたは防止を含む（例えば、疾患に罹患する傾向があるが罹患しているとまだ診断されていない患者に疾患が起こるのを防止すること）。加えて、処置することまたは処置は、徴候または症状の完全な軽減を必要とせず、また、治癒を必要とせず、そして、患者に対する限界効果だけを有する手順を特に含む。処置は、疾患を抑制すること、例えば、その発生を抑止すること、または、疾患を緩和すること、例えば、疾患の退行を起こさせること、を含む場合がある。例えば、処置は、それらに限定されないが、急性または慢性の炎症を抑えること、抗血小板効果を促すこと、高血圧を減らすこと、および、コレステロールを下げることを含む。
【００２８】
幾つかの実施形態では、生物活性物質は、活性治療物質、代謝物質、ホルモン、ステロイド、ビタミン、脂肪酸、アミノ酸、糖、炭水化物、ポリペプチドまたはミネラルを含む医薬品、薬剤または薬物を含む任意の１つまたは複数の物質を含む。幾つかの実施形態では、生物活性物質は、疾患または病気の処置、防止、診断、治癒または鎮静のために使用される任意の物質を含む。幾つかの実施形態では、生物活性物質は、解剖学的構造または生理的機能に影響を及ぼす任意の物質を含む。幾つかの実施形態では、生物活性物質は、動物またはその代謝物質に対する外部からの影響の効果を変える任意の物質を含む。幾つかの実施形態では、複雑な投与レジメンは、その日の間の指定した時刻における複数の服用単位の系統的な投与を含む。幾つかの実施形態では、投与は、身体組織の中への物質の各個別の投下を含む。
【００２９】
以下の検討は、薬剤分注容器を含む薬剤分注システム、関係する構成要素、および、薬剤分注システムを採用する方法、の説明を含む。代替の実施形態は、同じく開示される。詳細に言及するのは、本開示の例示的な実施形態であり、添付の図面に例証されている。図１〜５に転じると、薬剤分注システム１０の構成要素が例証されている。
【００３０】
薬剤分注システム１０の構成要素は、個別的または集合的に、薬剤の貯蔵および分注に適した材料から製作される場合がある。幾つかの実施形態では、そういった材料は、金属、セラミック、熱可塑性プラスチックなどの合成ポリマ、半剛性材料および剛性材料、エラストマ、ファブリックおよび／またはそれらの複合体、を含む。薬剤分注システム１０の様々な構成要素は、上の材料を含む材料複合体を有することがあり、強度、剛性、弾性、コンプライアンス、および耐久性などの様々な所望の特性を達成する。薬剤分注システム１０の構成要素は、個別的または集合的に、上で説明した材料のうちの２つ以上を組み合わせたものなどの異種材料から同じく製作されることがある。薬剤分注システム１０の構成要素は、本明細書で説明するように、モノリシックに形成され、一体的に連結され、あるいは、締結要素および／または機器を含む、ことがある。
【００３１】
幾つかの実施形態では、図１〜５に示すように、薬剤分注システム１０は、例えば、薬剤ボトル１２などの薬剤容器を含む。ボトル１２は、上部端部１４の開口と、反対側に位置決めされたベース１６と、を含む。幾つかの実施形態では、ボトル１２は、円形の断面を含む。幾つかの実施形態では、ボトル１２は、例えば、円形、部分円筒、長円、矩形、多角形、不規則形、テーパ状、オフセット、千鳥状、均一および不均一などの断面形状を含むことがある。
【００３２】
ボトル１２は、薬剤投薬レジメンの一部として、例えば、服用単位などの薬剤を受容するように構成された内側キャビティ１８を画定する。幾つかの実施形態では、キャビティ１８は、隔壁によって幾つかの区画に分割される。例えば、キャビティ１８は、キャビティ１８内で径方向に整列される２、３、４、またはそれより多くの区画に分割されることがある。幾つかの実施形態では、区画は、様々におよび／または違って寸法決めされ、１つまたは複数の薬剤の配設のために構成される場合がある。幾つかの実施形態では、ボトル１２は、透明または半透明であり、患者がキャビティ１８内の薬剤の残量を観察できるようにしている。
【００３３】
ボトル１２は、その中に貯蔵されている薬剤にアクセスするために患者によって取り扱われるように構成されている表面２０を含む。幾つかの実施形態では、表面２０は、患者による把持を容易にするために、例えば、粗面、弓状、波状、メッシュ、多孔、半多孔、ディンプル付けおよび／またはテクスチャ付けなどの代替の表面構成を有することがある。幾つかの実施形態では、表面２０は、ユーザの把持に適合するために、例えば、ゴム引きされたインサートまたは溝などの人間工学的な特徴部を含む。幾つかの実施形態では、ボトル１２は、ラベル２２の形式のしるしを表面２０上に含むことがある。幾つかの実施形態では、ラベル２２は、薬剤が患者によって服用されるべき時刻および順序を提供する。１つの実施形態では、ボトル１２は、薬剤が服用されるべき投薬レジメンの曜日を表示するためにラベル付けされる。ラベル２２は、薬剤が服用されるべき時刻を表示するためにグラフィックを含むことがある。ラベル２２は、キャビティ１８内に保持される薬剤の名称および／または性質を表示することがある。ラベル２２は、キャビティ１８内に保持される薬剤の起こり得る副作用のリストを含むことがある。ラベル２２は、患者がキャビティ１８内に保持される薬剤を服用すべきであるのがどのくらいの期間かについてのインストラクションを提供することがある。幾つかの実施形態では、ラベル２２は、キャビティ１８の様々な区画の内部に保持される薬剤を区別するためにカラーコーディングを提供することがある。様々な実施形態では、ラベル２２のしるしは、ボトル１２にスクリーン印刷される。幾つかの実施形態では、しるしは、手書きされることがある。幾つかの実施形態では、ラベル２０は、ボトル１２の一部分に付着させるべきしるしを含むステッカを含むことがある。
【００３４】
ボトル１２は、ベース１６とは反対の側に位置決めされた首部分２４を含む。首部分２４は、ボトル１２から延びており、また、ねじ２８を有する外側表面２６を含む。幾つかの実施形態では、ねじ２８は、単一巻きねじまたは複数のディスクリートねじを含むことがある。幾つかの実施形態では、ねじ２８は、本明細書で検討するように、蓋のねじのタブと連絡するために、例えば、ねじ２８のギャップなどのチャイルドレジスタント特徴部を含む。
【００３５】
幾つかの実施形態では、薬剤分注システム１０は、例えば、蓋３０などのクロージャ部材を含む。幾つかの実施形態では、蓋３０は、しるし３８を有するインジケータキャップ３２を含む。キャップ３２は、上部表面３６の周囲から延びる周方向側壁３４を含む。キャップ３２は、本明細書で検討するように、ねじ付きインサート６０および／またはシールガスケット７０を受容するように寸法決めされた内側表面を含む。キャップ３２は、しるし３８を視認するための窓を有するクリアな外側キャップ４０を受容するように構成された外側表面を含む。幾つかの実施形態では、しるし３８は、キャップ３２の外側の周方向側壁上に印刷される。幾つかの実施形態では、しるし３８は、キャップ３２の上部表面上に提供される情報を含むことがある。他の実施形態では、しるし３８は、上部表面３６から側壁３４の間を斜めに延びる表面上に位置決めされる。幾つかの実施形態では、しるし３８は、１週間のうちの曜日を描写するために提供され、また、径方向に整列されてキャップ３２の側壁辺りに均等に離間される。幾つかの実施形態では、しるし３８は、薬剤がユーザによって服用されるべき時刻を描写するために提供される。幾つかの実施形態では、しるし３８は、薬剤がユーザによって服用されるべき時刻および曜日の組合せとして提供される。
【００３６】
蓋３０は、複雑な投薬レジメンとのコンプライアンスを維持する際にユーザを助けるように構成されたキャップ４０を含む。キャップ４０は、上部表面４４の周囲から延びる周方向側壁４２を含む。幾つかの実施形態では、表面４４は、固くて連続している。幾つかの実施形態では、表面４４は、中央アパーチャを含み、したがって、キャップ４０は、実質上リング状に形作られ、キャップ３２の側壁３４の周りに適合するように構成される。キャップ４０は、キャップ３２の上にぴったりと適合するように構成されている内側直径を含む。幾つかの実施形態では、キャップ４０は、圧入嵌合または摩擦嵌合によってキャップ３２に取り付く。幾つかの実施形態では、キャップ４０は、キャップ３２の側壁３４にラッチするために側壁４２の底部に１つまたは複数の可撓性タブを含む。
【００３７】
幾つかの実施形態では、キャップ４０は、投薬レジメンに従う際にユーザを助けるために、ユーザがしるし３８を視認できるようにしている。キャップ４０は、しるし３８と整列するように寸法決めされている側壁４２の窓４８を含む。窓４８は、様々に構成されて様々な形状を有することがある。例えば、様々な実施形態では、窓４８は、四角形、円形、長円形、台形、菱形、多角形、腎臓形状、規則的または不規則な形状付けされる。窓４８は、しるし３８の可視性を可能にするために寸法決めされる。図１に示すように、窓４８は、１週間の曜日を描写している少なくとも１つの文字の可視性を提供するために寸法決めされる。幾つかの実施形態では、キャップ４０は、ユーザの注意を窓４８に向けるのを助けるためにインジケータ４６を含む。インジケータ４６は、表面４４上に印刷された矢印として示されている。幾つかの実施形態では、インジケータ４６は、例えば、窓４８の方向に指さしている点または線などを含むことがある。幾つかの実施形態では、キャップ４０は、透明または半透明であり、しるしを囲む状況でユーザがしるし３８を視認できるようにしている。幾つかの実施形態では、図２に示すように、窓４８は、旋回されて、しるし３８の「Ｓｕ」と整列して、日曜日に服用すべき薬剤のためのリマインダを描写している。「Ｓｕ」を囲んでいるしるしは、月曜日および土曜日に服用すべき薬剤のためのリマインダを描写している「Ｍｏ」および「Ｓａ」である。囲んでいるしるしは、窓４８の両側で側壁４２を通して視認可能である。幾つかの実施形態では、キャップ４０の全体は、透明または半透明であり、したがって、側壁３４の周りに配設されたしるし３８は全部、側壁４２を通して目に見える。幾つかの実施形態では、把持リッジ５０は、側壁４２の周方向辺りに配設される。リッジ５０は、蓋３０またはキャップ４０を回転させる際にユーザを助けるために側壁４２の表面から突出する。幾つかの実施形態では、リッジ５０は、同じく透明または半透明であり、ユーザが側壁３４のしるし３８を見ることができるようにしている。幾つかの実施形態では、リッジ５０は、窓４８に整列していないしるし３８の部分を不明瞭にするためにしるし３８の可視性を歪曲している。他の実施形態では、キャップ４０は、窓４８に整列していないしるし３８の可視性を妨げるために不透明または半透明である。
【００３８】
幾つかの実施形態では、蓋３０は、キャップ４０をキャップ３２に対して動かすために前進機構を含む。図６に示すように、蓋３０は、キャビティ１８をシールするために首部分２４上を回転可能である。蓋３０は、ねじ２８と接触するようにされて、シール位置に到達するまで回転する。幾つかの実施形態では、シール位置に到達することは、可聴クリックによってユーザに合図される。幾つかの実施形態では、シール位置にある間、キャップ４０は、しるし３８から隣接する増分のしるし３８まで前進するように構成される。幾つかの実施形態では、１日当たり１つの薬剤をボトル１２から要求する投薬レジメンでは、所与の日のための薬剤を服用した後に、シール位置まで導かれたときに、ユーザは、蓋３０をボトル１２上にシールして、次いで、前進機構を前進させて、しるし３８によって描写される次の順の日まで窓４８を回転させる。様々な実施形態では、窓４８は、一度蓋３０が取り外されてボトル１２に再適用されたら、キャップ３２に対して矢印Ａ１によって示される方向に回転可能である。幾つかの実施形態では、しるし３８の順の増分だけ窓４８を回転させることは、可聴クリックによってユーザに合図される。例えば、蓋３０の１つまたは複数の構成要素は、シール位置および／または停止位置を表示するために、可聴または触覚クリックまで回転される場合がある。幾つかの実施形態では、クリック位置は、順々になっている。例えば、シール位置に到達したときに、本明細書で説明するように、表示の変化が投与レジメンまたはしるしのために必要とされる場合には、蓋３０の構成要素の連続回転は、停止位置の限界まで可能にされる場合がある。幾つかの実施形態では、前進機構は、キャップ３２に対する窓４８の、しるし３８の１つの増分より多い回転を防止する。幾つかの実施形態では、蓋３０は、蓋３０がシール位置に導かれた後に、しるし３８の単一増分より多く窓４８が回転するのを防止するために停止機構を含む。幾つかの実施形態では、前進機構は、しるし３８の複数の増分だけ窓４８が回転できるようにしている。幾つかの実施形態では、窓４８は、第１の方向に回転可能であり、第２の方向に回転可能ではない。幾つかの実施形態では、窓４８は、しるし３８の最初の増分後、順になっているしるし３８の増分までユーザによって回転され、また、最初の増分前、順に現れるしるし３８の増分だけユーザによって回転可能ではない。幾つかの実施形態では、蓋３０の１つまたは複数の構成要素は、各回転のためにおよび／または４５〜３６０度の範囲で、前進機構および／またはクリック位置と関連して回転される場合がある。
【００３９】
幾つかの実施形態では、前進機構は、ユーザが、下向きの力を蓋３０に適用し、次いで蓋３０をボトル１２に対して回転させるのを必要とする。幾つかの実施形態では、前進機構は、キャップ４０をキャップ３２に対して回転させるために蓋３０の下側に手動前進グリップを含む。幾つかの実施形態では、前進機構は、キャップ３２またはキャップ４０の一方に取り付けられるラチェットホイールと、キャップ３２またはキャップ４０の他方の表面から径方向内向きに延びる複数のノッチと、を含む。幾つかの実施形態では、前進機構は、第１の方向の回転を可能にすると共に第２の方向の回転を防止するために付勢部材を含む。幾つかの実施形態では、前進機構は、ねじ２８と連通し、したがって、窓４８は、キャップ３２に対して回転することができず、その一方、蓋３０は、ねじを緩められてボトル１２から取り外される。幾つかの実施形態では、キャップ３２またはキャップ４０の一方は、その中に形成されるかまたはそれに取り付けられるつめを含み、つめは、デバイスが閉じるときだけ、キャップ３２またはキャップ４０の他方に形成されたセットの歯に係合する。幾つかの実施形態では、前進機構は、蓋３０がシール位置に導かれるときにキャップ３２に対するキャップ４０の回転を促すためにばねを含む。
【００４０】
幾つかの実施形態では、蓋３０は、キャップ３２の内側表面によって受容される、ねじ付きインサート６０および／またはシールガスケット７０を含む。幾つかの実施形態では、インサート６０は、キャップ３２の内側表面との摩擦嵌合を容易にするために寸法決めされた外側表面を含む。幾つかの実施形態では、インサート６０は、キャップ３２のねじと係合するためにねじを外側表面に含む。インサート６０は、首部分２４のねじ２８と係合するように構成された内ねじを含む。幾つかの実施形態では、内ねじは、ねじ２８に適合するために単一巻きねじまたは複数のディスクリートねじを含むことがある。ガスケット７０は、インサート６０の内側表面によって受容されるように寸法決めされる。幾つかの実施形態では、ガスケット７０は、圧縮性の材料から作られ、したがって、首部分２４との接触時に、ガスケット７０の接触表面は、首部分２４の形状に部分的に適合する。
【００４１】
幾つかの実施形態では、蓋３０は、子供が蓋３０をボトル１２から取り外すのを防止するためにチャイルドレジスタント特徴部を含む。１つの実施形態では、蓋３０の取り外しは、患者が押し下げてボトル１２に対して回転させるのを必要とする。１つの実施形態では、蓋３０の取り外しは、患者が両側を圧迫してボトル１２に対して回転させるのを必要とする。１つの実施形態では、蓋３０の取り外しは、患者が、先ず、蓋３０をボトル１２に対して回転させて蓋３０およびボトル１２のノッチ（図示せず）同士を整列させ、次いで、蓋３０をボトル１２から引き離すのを必要とする。幾つかの実施形態では、蓋３０は、ボトル１２からの取り外しの際に患者を助けるためにインストラクションを具備する。インストラクションは、例えば、鍵付き矢印、または、例えば、「押し下げて回す」などの文言、などのグラフィックの形式で提供されることがある。幾つかの実施形態では、インストラクションは、蓋３０に印刷されることがある。
【００４２】
幾つかの実施形態では、ボトル１２は、投与レジメンとのコンプライアンスを増やすことによって治療および／または栄養のサポートを動物に提供する使い捨ての分注デバイスを含む。幾つかの実施形態では、投与量の医薬品、薬剤または薬物は、例えば、チュアブル錠剤、急速溶解錠剤、発泡性錠剤、再構成可能粉末、エリキシル剤、液体、溶液、懸濁液、乳液、錠剤、多層錠剤、二層錠剤、カプセル、ソフトゼラチンカプセル、ハードゼラチンカプセル、カプレット、トローチ剤、チュアブルトローチ剤、ビード、粉末、顆粒剤、分散顆粒剤、カシェ剤、潅注液、坐薬、クリーム、外用薬、吸入剤、エアゾル吸入剤、貼付剤、粒子吸入剤、インプラント、デポ剤インプラント、ドラジェ、アンプル、摂取物、注射液、注入物、ヘルスバー、液体、食品、栄養食品、機能食品、ヨーグルト、ゼラチン、シリアル、シリアルコーティング、動物飼料および／またはそれらの組合せ、などを含む場合がある。
【００４３】
幾つかの実施形態では、薬剤レジメン、方向、インストラクションおよび／または薬剤レジメンの投与用の処方のしるしは、服用日のしるし、月曜日、火曜日、水曜日、木曜日、金曜日、土曜日、日曜日または前記曜日の省略形などの１週間の特定の曜日、特定の日付または第１日、第２日、第３日などの一般的な日にちの連続を含むことがある。幾つかの実施形態では、しるしは、例えば、例えば、ＡＭ、ＰＭ、午前、午後、晩、昼、夜、昼間、夜間およびそれらの組合せなどの１日の大まかな時間、あるいは１日の特定の時間などであり得る時間のしるしを含むことがある。幾つかの実施形態では、しるしは、ＡＭ投与量およびＰＭ投与量などの時刻を表示しているボトル１２上の個々の分離した行または列を含むことがある。幾つかの実施形態では、ボトル１２は、時間のしるしのためにカラーコーディングされることがある。幾つかの実施形態では、薬剤分注システム１０の１つまたは複数の構成要素は、カラーコーディングを定義または解説しているキーを含むことがある。
【００４４】
幾つかの実施形態では、投与量の医薬品、薬剤または薬物は、ビタミンＡ、ビタミンＢ群、ビタミンＣ、ビタミンＤ、ビタミンＥ、ビタミンＫ、必須脂肪酸、葉酸、鉄、カルシウム、マグネシウム、カリウム、銅、クロム、亜鉛、モリブデン、ヨウ素、ボロン、セレニウム、マンガン、それらの誘導体および／またはそれらの組合せを含むことがある。幾つかの実施形態では、生物活性物質は、チアミン、チアミンピロリン酸、リボフラビン、フラビンモノヌクレオチド、フラビンアデニンジヌクレオチド、ナイアシン、ニコチン酸、ニコチンアミド、ナイアシンアミド、ニコチンアミドアデニンジヌクレオチド、トリプトファン、ビオチン、パントテン酸、アスコルビン酸、レチノール、レチナール、レチノイン酸、β−カロチン、１，２５−ジヒドロキシコレカルシフェロール、７−デヒドロコレステロール、α−トコフェロール、トコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴカルシウム、グルコン酸カルシウム、乳酸カルシウム、リン酸カルシウム、レブリン酸カルシウム、リン、カリウム、硫黄、ナトリウム、ドクサートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸鉄、多糖鉄、および／またはそれらの組合せおよび誘導体を含むことがある。
【００４５】
幾つかの実施形態では、投与量の医薬品、薬剤または薬物は、処方のおよび／または非処方の物質であることがある。幾つかの実施形態では、処方の物質は、ホルモン補充剤、避妊剤、骨粗鬆症剤、化学療法剤、抗感染剤、鎮痛剤、ステロイド、食欲抑制剤、減量剤、タバコ拮抗剤、コレステロール低下剤および／またはそれらの組合せであることがある。
【００４６】
幾つかの実施形態では、処方物質は、例えば、エリスロマイシン、ペニシリン、セファロスポリン、テオフィリン、アルブテロール、テルブタリン、ジルチアゼム、プロプラノロール、ニフェジピン、クロニジン、チオリダジン、ジアゼパム、メクリジン、メシル酸エルゴロイド、クロルプロマジン、カルビドパ、レボドーパ、ジプロピオン酸ベクロメタゾン、ブデソニド、デキサメタゾン、フルニソリド、プロピオン酸フルチカゾン、フランカルボン酸モメタゾン、トリアムシノロンアセトニド、ベコナーゼ、パルミコート、リノコート、デカドロン、アエロビド／ナサリド、フロベント／フルナーゼ、アズマコート、アンプレナビル、アデホビルジピボキシル、ジドブジン、アジドチミジン、ＡＺＴ、パクリタキセル、シクロホスファミド、テニポシド、タキソール、シトキサン、ブモン、メトトレキセート、メトトレキセート、シスプラチン、カルボプラチン、オキサリプラチン、プラチノール、パラプラチン、アドリアマイシン、ブレオマイシン、ダクチノマイシン、ダウノルビシン、ドキソルビシン、イダルビシン、マイトマイシン、ブレノキサン、コスメゲン、セルビジン、ルベックス、インダマイシン、ムタマイシン、ＢＣＮＵ、ストレプトゾシン、ビンブラスチン、チオテパ、結合型エストロゲン、エストロゲンエステル、エストロピペート、エストラジオール、エチニルエストラジオール、メドロキシプロゲステロン、メプロバメート、デソゲストレル、レボノルゲストレル、ノルエチンドロン、酢酸ノルエチンドロン、ノルゲスチメート、ノルゲストレル、ラロキシフェン、タモキシフェン、メチルテストステロン、キナプリル、ロサルタン、ソタロール、アレンドロネート、アトルバスタチン、コレスチポール、クロフィブレート、および／またはそれらの組合せなどを含むことがある。
【００４７】
幾つかの実施形態では、非処方の物質は、ビタミンまたはその誘導体、ならびに／あるいは、ミネラル化合物またはその誘導体である場合がある。幾つかの実施形態では、ビタミンまたはミネラル化合物は、例えば、チアミン、チアミンピロリン酸、リボフラビン、フラビンモノヌクレオチド、フラビンアデニンジヌクレオチド、ナイアシン、ニコチン酸、ニコチンアミド、ナイアシンアミド、ニコチンアミドアデニンジヌクレオチド、トリプトファン、ビオチン、葉酸、パントテン酸、アスコルビン酸、レチノール、レチナール、レチノイン酸、β−カロチン、１，２５−ジヒドロキシコレカルシフェロール、７−デヒドロコレステロール、α−トコフェロール、トコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴ酸カルシウム、グルコン酸カルシウム、乳酸カルシウム、リン酸カルシウム、レブリン酸カルシウム、リン、カリウム、硫黄、ナトリウム、ドクサートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸鉄、多糖鉄、ならびにそれらの組合せおよび誘導体などであることがある。幾つかの実施形態では、ビタミン化合物の誘導体は、任意のビタミン化合物の塩、アルカリ塩、エステルおよびキレートを含む。幾つかの実施形態では、非処方の物質は、ハーブ化合物、ハーブエキス、それらの誘導体および／またはそれらの組合せである場合がある。
【００４８】
使用中では、蓋３０を有するボトル１２は、ユーザ／患者が退院のすぐ後にボトル１２を輸送および／または携行するようにポータブルである。窓４８に位置決めされたしるし３８によって特定されるその時点で、ユーザは、蓋３０をシール位置から並進させて、蓋３０をボトル１２から取り外す。ユーザは、投薬レジメンの要求に応じて、服用量の薬剤を服用する。ユーザは、蓋３０を首部分２４と接触させて、蓋３０がシール位置に入ってクリックするまで、蓋３０をねじ２８と共に回転させる。一度シール位置になると、ユーザは、キャップ３２に対してキャップ４０を動かすために前進機構を利用する。ユーザは、投薬レジメンとのコンプライアンスを容易にするために、まさに服用した服用量を描写している増分のしるし３８から、服用すべき次の服用量のためのリマインダを描写している順の増分のしるし３８まで、窓４８を回転させる。
【００４９】
幾つかの実施形態では、図７〜９に示すように、本明細書で説明するシステムおよび方法に類似した薬剤分注システム１０は、蓋１３０を含む。図７に示すように、蓋１３０は、２つの向かい合って位置決めされた把持部分を備えた縦長の形状を有するボディ１３２を含む。把持部分１３４は、本明細書で検討するように、ボタン１５０を含む把持部分１３６の向かい側に位置決めされる。把持部分１３４、１３６は、ユーザによる把持を容易にするためにボディ１３２から延びる。幾つかの実施形態では、蓋１３０の内側表面は、首部分２４のねじ２８と係合するように構成されたねじ切り部を含む。幾つかの実施形態では、蓋１３０の内側表面は、蓋３０と類似のねじ付きインサート６０またはガスケット７０を受容するように構成される。
【００５０】
ボディ１３２は、カバー１４０によって実質上カバーされる上部表面を含む。カバー１４０は、蓋１３０の直径に適合するために形状および寸法を有し、投薬レジメンとのコンプライアンスを維持する際にユーザを助けるために、本明細書で説明する窓と類似の窓１４２を含む。窓１４２は、本明細書で説明するように、ユーザがしるし１４４を視認できるように位置決めされる。窓１４２は、様々に構成されることがあり、様々な形状を有する。例えば、様々な実施形態では、窓１４２は、四角形、円形、長円形、台形、菱形、多角形、腎臓形状、規則的または不規則な形状付けされる。窓１４２は、しるし１４４の可視性を可能にするために寸法決めされる。例えば、図８に示すように、窓１４２は、１週間の曜日を描写している１つから２つの文字の可視性を可能にするために寸法決めされる。様々な実施形態では、しるし１４４は、１週間の曜日を描写するために提供される。幾つかの実施形態では、しるし１４４は、薬剤がユーザによって服用されるべきその日の時刻を描写するために提供される。幾つかの実施形態では、しるし１４４は、薬剤がユーザによって服用されるべき時刻および曜日の組合せとして提供される。幾つかの実施形態では、しるし１４４は、径方向に整列されて、ボディ１３２とカバー１４０の間に位置決めされた円形のしるしパネルの辺りに均等に離間される。幾つかの実施形態では、しるし１４４は、パネルに配置され、したがって、パネルの増分の回転は、窓１４２と整列するために、連続したしるし１４４を動かす。幾つかの実施形態では、カバー１４０は、不透明であり、したがって、窓１４２と整列したしるし１４４だけが、ユーザには目に見える。他の実施形態では、カバー１４０は、透明または半透明であり、しるしを囲む状況で窓１４２と整列したしるし１４４のユーザ可視性を提供している。
【００５１】
幾つかの実施形態では、把持部分１３６は、矢印Ｂによって示す方向に押されたときに窓１４２に対するしるし１４４の整列を前進させるように構成されたボタン１５０を含む。幾つかの実施形態では、ボタン１５０は、圧縮性のおよび／または付勢された内部部材と、変形可能なおよび／または弾力性のケーシングと、を含み、したがって、ユーザは、図８に示すように、力をボタン１５０に適用することによって、内部部材を容易に変形および圧縮することができる。変形可能なケーシングは、形状記憶特性を有する形状付けしたポリマーシートを含むことがあり、したがって、ケーシングは、ユーザがボタン１５０上の力を解放した後に、把持部材１３６の元の形状に復帰する。幾つかの実施形態では、ケーシングは、ボタン１５０を把持する際にユーザを助けるためにゴム引きされた表面を含む。幾つかの実施形態では、内部部材は、非圧縮位置の方へ付勢されている可動ピストンを含む。幾つかの実施形態では、ばねは、内部部材を外向きに付勢して、圧縮するためにユーザによって適用される所定の量の力を必要とする。
【００５２】
ボタン１５０を押すと直ぐに、しるし１４４を含むパネルは、或る距離だけ回転し、したがって、第１の増分のしるし１４４は、窓１４２の視界から出て、第２の増分のしるし１４４は、窓１４２の視界に入る。幾つかの実施形態では、押しボタン１５０は、しるし１４４を単一増分だけ回転させる。幾つかの実施形態では、押しボタン１５０は、しるし１４４を複数の増分だけ回転させる。幾つかの実施形態では、押しボタン１５０は、しるし１４４を１つの方向のみに回転させる。
【００５３】
図９に示すように、把持部分１３４、１３６は、向かい合って位置決めされ、ボトル１２の密なパッキングを容易にするためにテーパ付けされている。幾つかの実施形態では、把持部分１３４、１３６は、互いに隣り合って配置されるときにボトル１２が均等に離間されるように構成される。把持部分１３４、１３６は、パッケージング用の最小の材料を要求しながらボタン１５０の機能性を増やしている。そういった構成は、最小量の空間を取りながら、複数のボトル１２を求めているユーザがボトル１２の組織化された配置を維持するのを可能にする。
【００５４】
使用中では、蓋１３０を有するボトル１２は、ユーザ／患者が退院のすぐ後にボトル１２を輸送および／または携行するようにポータブルである。窓１４２に位置決めされたしるし１４４によって特定されるその時点で、ユーザは、蓋１３０をシール位置から動かして、蓋１３０をボトル１２から取り外す。ユーザは、投薬レジメンの要求に応じて、服用量の薬剤を服用する。ユーザは、蓋１３０を首部分２４と接触させて、蓋１３０がシール位置に入ってクリックするまで、蓋１３０をねじ２８と共に回転させる。一度シール位置になると、ユーザは、投薬レジメンとのコンプライアンスを容易にするために、ボタン１５０を押して、しるし１４４を窓１４２に対して、服用した服用量を描写している増分のしるし１４４から、服用すべき次の服用量のためのリマインダを描写している順の増分のしるし１４４まで、動かす。
【００５５】
幾つかの実施形態では、図１０〜１１に示すように、本明細書で説明するシステムおよび方法に類似した薬剤分注システム１０は、蓋２３０を含む。図１０に示すように、蓋２３０は、実質上円形の形状を有するボディ２３２を含む。側壁２３４は、側壁２３４の円周辺りに径方向に整列された複数の把持リッジ２３６を含む。リッジ２３６は、蓋２３０を回転させる際にユーザを助けるために側壁２３４の表面から突出する。幾つかの実施形態では、蓋２３０の内側表面は、首部分２４のねじ２８と係合するように構成されたねじ切り部を含む。幾つかの実施形態では、蓋２３０の内側表面は、蓋３０と類似のねじ付きインサート６０またはガスケット７０を受容するように構成される。
【００５６】
ボディ２３２は、カバー２４０によって実質上カバーされる上部表面を含む。カバー２４０は、蓋２３０の直径に適合するために形状および寸法を有し、複雑な投薬レジメンとのコンプライアンスを維持する際にユーザを助けるために、本明細書で説明する窓と類似の窓２４２を含む。窓２４２は、本明細書で説明するように、ユーザがしるし２４４を視認できるように位置決めされる。窓２４２は、様々に構成されることがあり、様々な形状を有する。例えば、様々な実施形態では、窓２４２は、四角形、円形、長円形、台形、菱形、多角形、腎臓形状、規則的または不規則である。窓２４２は、しるし２４４の可視性を可能にするために寸法決めされる。例えば、図１１に示すように、窓２４２は、１週間の曜日を描写している１つから２つの文字の可視性を可能にするために寸法決めされる。様々な実施形態では、しるし２４４は、１週間の曜日を描写するために提供される。幾つかの実施形態では、しるし２４４は、薬剤がユーザによって服用されるべきその日の時刻を描写するために提供される。幾つかの実施形態では、しるし２４４は、薬剤がユーザによって服用されるべき時刻および曜日の組合せとして提供される。幾つかの実施形態では、しるし２４４は、径方向に整列されて、ボディ２３２とカバー２４０の間に位置決めされた円形のしるしパネルの辺りに均等に離間される。幾つかの実施形態では、しるし２４４は、パネルに配置され、したがって、パネルの増分の回転は、窓２４２と整列するために、連続したしるし２４４を動かす。幾つかの実施形態では、カバー２４０は、不透明であり、したがって、窓２４２と整列したしるし２４４だけが、ユーザには目に見える。しかしながら、他の実施形態では、カバー２４０は、透明または半透明であり、しるしを囲む状況で窓２４２と整列したしるし２４４のユーザ可視性を提供している。
【００５７】
幾つかの実施形態では、カバー２４０は、矢印Ｃによって示す方向に押されたときに窓２４２に対するしるし２４４の整列を前進させるように構成された中央のボタン２５０を含む。幾つかの実施形態では、ボタン２５０は、圧縮性のおよび／または付勢された内部部材と、変形可能なおよび／または弾力性のケーシングと、を含み、したがって、ユーザは、図１１に示すように、力をボタン２５０に適用することによって、内部部材を容易に変形および圧縮することができる。ボタン２５０は、静止位置の概ね凸形状と、圧縮時の凹形状と、を含む。ケーシングは、形状記憶特性を有する形状付けしたポリマーシートを含むことがあり、したがって、ケーシングは、ユーザがボタン２５０上の力を解放した後に、凸形状に復帰する。幾つかの実施形態では、ケーシングは、ボタン２５０を把持する際にユーザを助けるためにゴム引きされた表面を含む。幾つかの実施形態では、内部部材は、非圧縮位置の方へ付勢されている可動ピストンを含む。幾つかの実施形態では、ばねは、内部部材を外向きに付勢して、圧縮するためにユーザによって適用される所定の量の力を必要とする。幾つかの実施形態では、ボタン２５０は、静止位置で平面的な形状を有する。
【００５８】
ボタン２５０を押すと直ぐに、しるし２４４を含むパネルは、或る距離だけ回転し、したがって、第１の増分のしるし２４４は、窓２４２の視界から出て、第２の増分のしるし２４４は、窓２４２の視界に入る。幾つかの実施形態では、押しボタン２５０は、しるし２４４を単一増分だけ回転させる。幾つかの実施形態では、押しボタン２５０は、しるし２４４を複数の増分だけ回転させる。幾つかの実施形態では、押しボタン２５０は、しるし２４４を１つの方向のみに回転させる。
【００５９】
使用中では、蓋２３０を有するボトル１２は、ユーザ／患者が退院のすぐ後にボトル１２を輸送および／または携行するようにポータブルである。窓２４２に位置決めされたしるし２４４によって特定されるその時点で、ユーザは、蓋２３０をシール位置から動かして、蓋２３０をボトル１２から取り外す。ユーザは、投薬レジメンの要求に応じて、服用量の薬剤を服用する。ユーザは、蓋２３０を首部分２４と接触させて、蓋２３０がシール位置に入ってクリックするまで、蓋２３０をねじ２８と共に回転させる。一度シール位置になると、ユーザは、投薬レジメンとのコンプライアンスを容易にするために、ボタン２５０を押して、しるし２４４を窓２４２に対して、服用した服用量を描写している増分のしるし２４４から、服用すべき次の服用量のためのリマインダを描写している順の増分のしるし２４４まで、動かす。
【００６０】
幾つかの実施形態では、図１２〜１５に示すように、本明細書で説明するシステムおよび方法に類似した薬剤分注システム１０は、本明細書で説明するようなボトル１２と、本明細書で説明する蓋３０に類似の蓋３３０と、を含む。
【００６１】
蓋３３０は、インジケータキャップ３３２を含む。インジケータキャップ３３２は、キャップ３３４およびリング３３６を含む。リング３３６は、キャップ３３４に対して回転するために構成される。幾つかの実施形態では、キャップ３３４は、本明細書で検討するように、ねじ付きインサート６０および／またはシールガスケット７０を受容するように寸法決めされた内側表面を含む。キャップ３３４は、表面３３７を含む。表面３３７は、例えば、リブ３５０ａ、３５０ｂなどの１つまたは複数のリブを含む。リブ３５０ａ、３５０ｂは、本明細書で説明するように、キャップ４０に類似のキャップ３４０の一部分と係合するように構成される。リブ３５０ａ、３５０ｂは、本明細書で説明するしるし３８に類似のしるし３３８を前進させるためのキャップ３３４の回転用のストッパとして構成される。幾つかの実施形態では、リブ３５０ａ、３５０ｂは、投薬レジメンの１つまたは複数の構成要素のための前進単位および／または増分のしるしを含む。
【００６２】
リング３３６は、しるし３３８を含む外側表面３５２を含む。しるし３３８は、周方向に表面３５２辺りに配設される。リング３５２は、開口３５４を含む。開口３５４は、リブ３５０ａ、３５０ｂがキャップ３４０によって係合可能であるようにキャップ３３２の配設のために構成される。リング３３６は、例えば、歯３５６などの複数の突起を含む。歯３５６は、本明細書で説明するように、キャップ３４０の一部分と係合するように構成される。歯３５６は、リング３３６辺りに位置決めされ、したがって、歯３５６相互間のキャップ３４０の動きは、キャップ３４０を単一服用量だけ前進させて、しるし３３８を表示する。
【００６３】
キャップ３４０は、複雑な投薬レジメンとのコンプライアンスを維持する際にユーザを助けるように構成される。キャップ３４０は、上部表面３４４の周囲から延びる周方向側壁３４２を含む。幾つかの実施形態では、表面３４４は、固くて連続している。キャップ３４０は、キャップ３３４およびリング３３６の上にぴったりと適合するように構成される内側直径を含む。幾つかの実施形態では、キャップ３４０は、投薬レジメンに従う際にユーザを助けるために、ユーザがしるし３３８を視認できるようにしている。キャップ３４０は、本明細書で説明するような窓４８と類似の窓３４８を側壁３４２に含み、窓３４８は、リング３３６上に配設されたしるし３３８と整列するように寸法決めされる。
【００６４】
幾つかの実施形態では、キャップ３４０は、リブ３６２を画定する表面３６０を含む。リブ３６２は、しるし３３８の前進を容易にするためにリブ３５０と係合するように構成される。キャップ３４０は、例えば、歯３６６などの突起を含む表面３６４を含む。歯３６６は、リング３３６に対するキャップ３４０の増分の回転を容易にするために歯３５６と係合するように構成される。幾つかの実施形態では、キャップ３４０は、１つまたは複数の歯３６６を含むことがある。
【００６５】
使用中では、幾つかの実施形態では、蓋３３０を有する薬剤分注システム１０は、蓋３３０をボトル１２から取り外すステップを含む方法と共に採用されている。リブ３６２は、図１２に示すように、リブ３５０ａに隣接して配設される。キャップ３４０は、反時計回り方向の回転のために操作される。歯３６６は、歯３５６と係合するために配設され、したがって、キャップ３４０およびリング３３６は、一斉に回転して、しるし３３８の前進および／または変更を妨害および／または防止する。そういうことで、しるし「Ｓａ」の表示は、窓３４８を通して維持される。幾つかの実施形態では、可撓性カンチレバ３７２は、リング３３６と共に成形されて、回転、キャップ取り外しおよび／またはキャップ取り付けの間に、キャップ３４０およびリング３３６の組立体に軸方向運動を提供する。幾つかの実施形態では、カンチレバ３７２は、蓋３３０の構成要素の、例えば、キャップ３３４に対するリング３３６の、後退を妨害および／または防止する。
【００６６】
キャップ３４０およびリング３３６は、一斉に回転し、したがって、リブ３６２は、図１３に示すように、リブ３５０ａ、３５０ｂ間を反時計回り方向にリブ３５０ｂでの進行の限界まで回転する。カンチレバ３７２は、反時計回り方向にキャップ３３４の歯３７０を越えて曲がり、リング３３６をたった１つ前進位置に前進させる。リブ３６２は、リブ３５０ｂと係合し、したがって、蓋３３０組立体は、反時計回り方向に回転し、蓋３３０は、ボトル１２から取り外される。幾つかの実施形態では、蓋３３０は、ボトル１２から抜き出される。
【００６７】
幾つかの実施形態では、蓋３３０を有する薬剤分注システム１０は、蓋３３０のボトル１２との取り付けおよび／または再取り付けのステップを含む方法と共に採用されている。リブ３６２は、図１３に示すように、リブ３５０ｂに隣接して配設される。キャップ３４０は、時計回り方向の回転のために操作され、したがって、蓋３３０組立体は、時計回り方向に回転し、蓋３３０は、ボトル１２との取り付けおよび／または再取り付けがされる。
【００６８】
歯３６６は、歯３５６の上にスナップ係合し、したがって、キャップ３４０は、リング３３６およびキャップ３３４に対して時計回り方向に回転する。リブ３６２は、図１４に示すように、リブ３５０ａ、３５０ｂ間を時計回り方向にリブ３５０ａでの進行の限界まで回転する。窓３４８は、時計回り方向にキャップ３４０と共にリング３３６に対して回転して、投薬レジメンしるし３３８の増分の前進のためのしるし「Ｓｕ」を表示させる。
【００６９】
幾つかの実施形態では、図１６〜２３に示すように、本明細書で説明するシステムおよび方法に類似した薬剤分注システム１０は、本明細書で説明する蓋２３０に類似した蓋４３０を含む。図１６に示すように、蓋４３０は、例えば、上部キャップ４３２などの一部分と、例えば、下部キャップ４３４などの一部分と、を含む。
【００７０】
キャップ４３２は、上部４３６および側壁４３８を含む。上部４３６は、複雑な投薬レジメンとのコンプライアンスを維持する際にユーザを助けるために、本明細書で説明する窓と類似の窓４４２を画定する表面４４０を含む。窓４４２は、本明細書で説明するように、ユーザがしるし４４４を視認できるように位置決めされる。窓４４２は、様々に構成されることがあり、様々な形状を有する。例えば、様々な実施形態では、窓４４２は、四角形、円形、長円形、台形、菱形、多角形、腎臓形状、規則的または不規則である。窓４４２は、しるし４４４の可視性を可能にするために寸法決めされる。例えば、図１６に示すように、窓４４２は、１週間の曜日を描写している１つから２つの文字の可視性を可能にするために寸法決めされる。幾つかの実施形態では、上部４３６は、不透明であり、したがって、窓４４２と整列したしるし４４４だけが、ユーザには目に見える。しかしながら、他の実施形態では、上部４３６は、透明または半透明であり、しるしを囲む状況で窓４４２と整列したしるし４４４のユーザ可視性を提供している。
【００７１】
幾つかの実施形態では、側壁４３８は、側壁４３８の円周辺りに径方向に整列された複数の把持リッジを含む。幾つかの実施形態では、リッジは、蓋４３０を回転させる際にユーザを助けるために側壁４３８の表面から突出する。
【００７２】
幾つかの実施形態では、キャップ４３２は、押されたときに窓４４２に対してしるし４４４を前進させるように構成された中央のボタン４５０を含む。幾つかの実施形態では、ボタン４５０は、圧縮性のおよび／または付勢された内部部材と、変形可能なおよび／または弾力性のケーシングと、を含み、したがって、ユーザは、図１６に示すように、力をボタン４５０に適用することによって、内部部材を容易に変形および圧縮することができる。
【００７３】
幾つかの実施形態では、ボタン４５０は、例えば、剛性ボタン４５２などの部分を含む。ボタン４５２は、本明細書で説明するように、例えば、つめ４７０などの前進機構と係合するように構成される。ボタン４５２は、突起４５６を画定する表面４５４を含む。幾つかの実施形態では、突起４５６は、形状がアーチ形であり、端部４５８と端部４６０の間に延びる。幾つかの実施形態では、端部４５８は、本明細書で説明するように、しるし４４４の前進を容易にするために、力をつめ４７０の一部分に適用するように構成される。幾つかの実施形態では、表面４５４は、例えば、ラッチ４６２などの１つまたは複数の延長部を含む。ラッチ４６２は、本明細書で説明するように、キャップ４３４との係合を容易にするように構成される。ボタン４５０およびボタン４５２の係合によって、本明細書で説明するように、ボタン４５２上の突起４５６が、つめ４７０を作動させる。
【００７４】
つめ４７０は、端部４７２と端部４７４の間に延びる。端部４７２は、例えば、インジケータリング４９０などの一部分と係合するように構成されたフック４７６を含む。端部４７４は、キャップ４３４に配設されたピン４８０の配設のために構成された開口４７８を含む。つめ４７０は、例えば、開始配向などの第１の配向と、例えば、前進配向などの第２の配向と、の間でピン４８０の回りに回転するために構成される。幾つかの実施形態では、つめ４７０は、図１８に示すように、端部４７２、４７４間に配設された傾斜部４８２を含む。下向きの力は、傾斜部４８２に適用されて、つめ４７０の回転を引き起こす。幾つかの実施形態では、ピン４８０は、キャップ４３４の中心に対してずらして配設されて、例えば、つめ４７０の略０．０９インチ（２．２８６ｍｍ）の下向きの変位がフック４７６の略０．１６インチ（４．０６４ｍｍ）の回転変位を引き起こす、などのつめ４７０の移動についての機械的な利点を促進させる。つめ４７０は、延長部４８４を含む。延長部４８４は、例えば、ワイヤばね４８６などの付勢部材を含む。ばね４８６は、本明細書で説明するように、開始配向へのつめ４７０の復帰促進を容易にするように構成される。
【００７５】
インジケータリング４９０は、複数の歯４９２を含む。歯４９２は、フック４７６と係合するように構成される。つめ４７０の回転移動は、インジケータリング４９０を回転させる。フック４７６は、歯４９２と係合し、インジケータリング４９０の前進を容易にすると共に、インジケータリング４９０をキャップ４３２に対して選択的に配設して前進配向のしるし４４４を表示する。ばね４８６は、つめ４７０を開始配向に復帰させる。
【００７６】
キャップ４３４は、表面５００を含む。表面５００は、つめ４７０の配設のために構成される。表面５００は、例えば、ブラケット５０２などの突起を含む。ブラケット５０２は、ボタン４５２のキャップ４３４との組立てを容易にするためにラッチ４６２と係合するように構成される。表面５００は、例えば、スロット５０４などの開口を含む。スロット５０４は、つめ４７０の回転を容易にするために、図１８に示すように、傾斜部４８２の可動な配設のために構成される。表面５０２は、例えば、ストッパ５１０などの突起を含む。ストッパ５１０は、つめ４７０が開始配向にあるときに、つめ４７０の表面との係合のために構成される。表面５０２は、例えば、可撓性ビーム５２０などの部分を含む。ビーム５２０は、インジケータリング４９０の後退を妨害および／または防止するために、インジケータリング４９０に係合するように構成される。表面５００は、部分５２４を含む。部分５２４は、ばね４８６の配設のために構成され、したがって、ばね４８６は、本明細書で説明するように、つめ４７０を開始配向に促すために付勢力をつめ４７０に適用する。
【００７７】
キャップ４３４は、キャビティ５３２を画定する表面５３０を含む。キャビティ５３２は、図２１〜２３に示すように、ねじ付きインサート５４０および／またはシールガスケット５４２の配設のために構成される。幾つかの実施形態では、インサート５４０は、キャップ４３４の内側表面との摩擦嵌合を容易にするために寸法決めされた外側表面を含む。幾つかの実施形態では、インサート５４０は、本明細書で説明するように、ボトル１２の首部分２４のねじ２８と係合するように構成された内ねじを含む。ガスケット５４２は、インサート５４０の内側表面によって受容されるように寸法決めされる。幾つかの実施形態では、ガスケット５４２は、圧縮性の材料から作られ、したがって、首部分２４との接触時に、ガスケット５４２の接触表面は、首部分２４の形状に部分的に適合する。
【００７８】
幾つかの実施形態では、キャップ４３４およびインサート５４０は、図２１および２２に示すように、また、本明細書で説明するように、子供が薬剤分注システム１０を開けるのを防止するためにチャイルドレジスタント特徴部５４４、５４６を含む。
【００７９】
幾つかの実施形態では、図２４〜３２に示すように、本明細書で説明するシステムおよび方法に類似した薬剤分注システム１０は、本明細書で説明する蓋４３０に類似した蓋６３０を含む。図２９に示すように、蓋６３０は、本明細書で説明するキャップ４３２、４３４に類似した上部キャップ６３２および下部キャップ６３４を含む。
【００８０】
キャップ６３２は、上部６３６および側壁６３８を含む。上部６３６は、複雑な投薬レジメンとのコンプライアンスを維持する際にユーザを助けるために、本明細書で説明する窓と類似の窓６４２を画定する表面６４０を含む。窓６４２は、本明細書で説明するように、ユーザがしるし４４４を視認できるように位置決めされる。上部６３６は、ボタン４５０を含む。ボタン６５０は、本明細書で説明する、例えば、つめ４７０などの前進機構と係合するように構成される。ボタン６５０は、表面６５２を含む。表面６５２は、本明細書で説明する突起４５６と類似の突起６５６を画定する。突起６５６は、本明細書で説明するように、つめ４７０およびインジケータリング４９０を作動させるように構成される。ボタン６５０の係合により、本明細書で説明するように、突起６５６が、つめ４７０およびインジケータリング４９０を、開始配向と前進配向との間で、作動させる。幾つかの実施形態では、表面６５２は、例えば、ラッチ６６２などの１つまたは複数の延長部を含む。ラッチ６６２は、本明細書で説明するように、キャップ６３４との係合を容易にするように構成される。
【００８１】
幾つかの実施形態では、側壁６３８は、側壁６３８の円周辺りに径方向に整列された複数の把持リッジを含む。幾つかの実施形態では、リッジは、蓋６３０を回転させる際にユーザを助けるために側壁６３８の表面から突出する。
【００８２】
キャップ６３４は、表面７００を含む。表面７００は、つめ４７０の配設のために構成される。表面７００は、例えば、ブラケット７０２などの突起を含む。ブラケット７０２は、キャップ５３２およびボタン６５０のキャップ６３４との組立てを容易にするためにラッチ６６２と係合するように構成される。表面７００は、本明細書で説明するスロット５０４に類似したスロット７０４を含む。表面７０２は、本明細書で説明するように、ストッパ５１０に類似したストッパ７１０を含む。表面７０２は、本明細書で説明するビーム５２０に類似した可撓性ビーム７２０を含む。表面７００は、部分７２４を含む。部分７２４は、ばね４８６の配設のために構成され、したがって、ばね４８６は、本明細書で説明するように、つめ４７０を開始配向に促すために付勢力をつめ４７０に適用する。
【００８３】
キャップ６３４は、本明細書で説明するように、ねじ付きインサート５４０および／またはシールガスケット５４２の配設のために構成されたキャビティ７３２を画定する表面７３０を含む。幾つかの実施形態では、キャップ６３４およびインサート５４０は、本明細書で説明するように、子供が薬剤分注システム１０を開けるのを防止するためにチャイルドレジスタント特徴部を含む。
【００８４】
幾つかの実施形態では、図３３〜５０に示すように、本明細書で説明するシステムおよび方法に類似した薬剤分注システム１０は、本明細書で説明するボトル１２と、本明細書で説明する蓋３３０に類似した蓋８３０と、を含む。
【００８５】
蓋８３０は、インジケータキャップ８３２を含む。インジケータキャップ８３２は、キャップ８３４およびリング８３６を含む。リング８３６は、キャップ８３４に対して回転するために構成される。幾つかの実施形態では、キャップ８３４は、本明細書で説明するように、ねじ付きインサート６０および／またはシールガスケット７０を受容するように寸法決めされた内側表面を含む。キャップ８３４は、表面８３８を含む。表面８３５は、例えば、リブ８５０ａ、８５０ｂなどの１つまたは複数のリブを含む。リブ８５０ａ、８５０ｂは、本明細書で説明するキャップ３４０に類似のキャップ８４０の一部分と係合するように構成される。リブ８５０ａ、８５０ｂは、本明細書で説明するしるし３３８に類似のしるし８３８を前進させるためのキャップ８３４の回転用のストッパとして構成される。幾つかの実施形態では、リブ８５０ａ、８５０ｂは、投薬レジメンの１つまたは複数の構成要素のための前進単位および／または増分のしるしを含む。
【００８６】
キャップ８３４は、開口９５２を画定する表面９５０を含む。キャップ８３４は、例えば、可撓性アーム９５４などの延長部を含む。アーム９５４は、開口９５２の中に延びる。アーム９５４は、例えば、フィンガ９５６などの角度付けされた部分を含む。フィンガ９５６の表面は、本明細書で説明するように、蓋８３０の前進の可聴のしるしを提供するためにキャップ８４０の表面と係合するように構成される。アーム９５４は、本明細書で説明するように、閉じた配向、開いた配向および前進した配向の間で可動である。
【００８７】
リング８３６は、しるし８３８を含む外側表面８５２を含む。しるし８３８は、周方向に表面８５２辺りに配設される。リング８３６は、開口８５４を含む。開口８５４は、リブ８５０ａ、８５０ｂがキャップ８４０によって係合可能であるようにキャップ８３２の配設のために構成される。リング８３６は、例えば、歯８５６などの複数の突起を含む。歯８５６は、本明細書で説明するように、キャップ８４０の一部分と係合するように構成される。歯８５６は、リング８３６辺りに位置決めされ、したがって、歯８５６相互間のキャップ８４０の動きは、キャップ８４０を単一服用量だけ前進させて、しるし８３８を表示する。
【００８８】
キャップ８４０は、複雑な投薬レジメンとのコンプライアンスを維持する際にユーザを助けるように構成される。キャップ８４０は、上部表面８４４の周囲から延びる周方向側壁８４２を含む。幾つかの実施形態では、表面８４４は、固くて連続している。キャップ８４０は、キャップ８３４およびリング８３６の上にぴったりと適合するように構成される内側直径を含む。幾つかの実施形態では、キャップ８４０は、投薬レジメンに従う際にユーザを助けるために、ユーザがしるし８３８を視認できるようにしている。キャップ８４０は、本明細書で説明する窓３４８と類似の窓８４８を側壁８４２に含み、窓８４８は、リング８３６上に配設されたしるし８３８と整列するように寸法決めされる。
【００８９】
幾つかの実施形態では、キャップ８４０は、リブ８６２を画定する表面８６０を含む。リブ８６２は、しるし８３８の前進を容易にするためにリブ８５０ａ、８５０ｂと係合するように構成される。キャップ８４０は、例えば、歯８６６などの突起を含む表面８６４を含む。歯８６６は、リング８３６に対するキャップ８４０の増分の回転を容易にするために歯８５６と係合するように構成される。幾つかの実施形態では、キャップ８４０は、１つまたは複数の歯８６６を含むことがある。
【００９０】
キャップ８４０およびリング８３６は、一斉におよび／または同時に回転し、したがって、リブ８６２は、リブ８５０ａ、８５０ｂ間を反時計回り方向にリブ８５０ｂでの進行の限界まで回転する。リブ８６２は、リブ８５０ｂと係合し、したがって、蓋８３０は、反時計回り方向に回転し、蓋８３０は、ボトル１２から取り外される。幾つかの実施形態では、蓋８３０は、ボトル１２から抜き出される。
【００９１】
リブ８５０ａ、８５０ｂおよびリブ３６３に加えて、蓋８３０は、蓋８３０の開、閉および前進の表示を容易にするように構成されたロック要素８９０を含む。ロック要素８９０は、表面８９６を有する横傾斜部８９４と、表面９００を有する横傾斜部８９８と、を含む。傾斜部８９４、８９８は、表面９０２によって連結される。ロック要素８９０は、窪み９０６を画定する表面９０４を含む。ボトルの閉じた配向では、フィンガ９５６は当初、図４３および４４に示すように、傾斜部８９４の表面８９６に隣接して配設される。蓋８３０を動かすために、キャップ８４０は、図４３の矢印Ｆで示すように、キャップ８３４に対して反時計回りに回されて、アーム９５４を、矢印Ｇで示すように、内向きに曲げさせる。アーム９５４の内向きに曲がることにより、フィンガ９５６は、表面９０２に沿って並進できる。アーム９５４が後ろに曲がるので、フィンガ９５６は、傾斜部８９８の表面９００に沿ってボトルの開いた配向の中に並進し、したがって、蓋８３０は、ボトル１２から取り外すことができる。
【００９２】
蓋８３０は、フィンガ９５６を傾斜部８９８に隣接して位置決めすることによって交換される。蓋８３０は、図４５の矢印Ｈで示すように、時計回りに回されて、フィンガ９５６を、傾斜部８９８を越えて窪み９０６の中に、図４８に示すように、ボトルの閉じた配向に、並進させる。幾つかの実施形態では、傾斜部８９８を越えるフィンガ９５６の並進は、触覚クリックを生じさせる。幾つかの実施形態では、傾斜部８９８を越えるフィンガ９５６の並進は、可聴クリックを生じさせる。蓋８３０は、更に時計回りに回され、したがって、フィンガ９５６は、窪み９０６から出て、表面９０８に沿って、傾斜部８９４に隣接する位置の中に、並進して、ボトルの前進したおよび閉じた配向に復帰する。幾つかの実施形態では、表面９０８を越えて傾斜部８９４の上へのフィンガ９５６の並進は、触覚クリックを生じさせる。幾つかの実施形態では、表面９０８を越えて傾斜部８９４の上へのフィンガ９５６の並進は、可聴クリックを生じさせる。
【００９３】
理解するであろうことは、様々な修正が、本明細書に開示された実施形態について行われてもよいということである。それ故に、上の説明は、限定ではなく、様々な実施形態の単なる例示であると解釈すべきである。当業者なら、本明細書に添付した特許請求の範囲の範囲および精神の範囲内で他の修正を想定するであろう。
【図１】
2018528828.tif 000003
【図２】
2018528828.tif 000004
【図３】
2018528828.tif 000005
【図４】
2018528828.tif 000006
【図５】
2018528828.tif 000007
【図６】
2018528828.tif 000008
【図７】
2018528828.tif 000009
【図８】
2018528828.tif 000010
【図９】
2018528828.tif 000011
【図１０】
2018528828.tif 000012
【図１１】
2018528828.tif 000013
【図１２】
2018528828.tif 000014
【図１３】
2018528828.tif 000015
【図１４】
2018528828.tif 000016
【図１５】
2018528828.tif 000017
【図１６】
2018528828.tif 000018
【図１７】
2018528828.tif 000019
【図１８】
2018528828.tif 000020
【図１９】
2018528828.tif 000021
【図２０】
2018528828.tif 000022
【図２１】
2018528828.tif 000023
【図２２】
2018528828.tif 000024
【図２３】
2018528828.tif 000025
【図２４】
2018528828.tif 000026
【図２５】
2018528828.tif 000027
【図２６】
2018528828.tif 000028
【図２７】
2018528828.tif 000029
【図２８】
2018528828.tif 000030
【図２９】
2018528828.tif 000031
【図３０】
2018528828.tif 000032
【図３１】
2018528828.tif 000033
【図３２】
2018528828.tif 000034
【図３３】
2018528828.tif 000035
【図３４】
2018528828.tif 000036
【図３５】
2018528828.tif 000037
【図３６】
2018528828.tif 000038
【図３７】
2018528828.tif 000039
【図３８】
2018528828.tif 000040
【図３９】
2018528828.tif 000041
【図４０】
2018528828.tif 000042
【図４１】
2018528828.tif 000043
【図４２】
2018528828.tif 000044
【図４３】
2018528828.tif 000045
【図４４】
2018528828.tif 000046
【図４５】
2018528828.tif 000047
【図４６】
2018528828.tif 000048
【図４７】
2018528828.tif 000049
【図４８】
2018528828.tif 000050
【図４９】
2018528828.tif 000051
【図５０】
2018528828.tif 000052
【国際調査報告】
2018528828.tif 000053